(57)【要約】  本発明は、一般的な方法で一種類のご飯を炊くことも、必要に応じて選択的に二種類のご飯を同時に炊くこともできるため、消費者の家族の好みに合わせて、やわらかいご飯、強いご飯、白米のご飯、雑穀を混ぜたご飯など多様な種類のご飯を炊くことができる、選択型圧力釜に関するものである。  本発明である選択型圧力釜は、釜本体の中に入れる内釜を備えており、その内釜が中でがっちりとはまるよう、釜の中に固定手段を施していることを特徴としている
2009545425.tif 000002
【特許請求の範囲】
【請求項１】
釜の内側に入れる内釜を備え、その内釜が上記の釜の内部にがっちりとはまるように、釜の内側に固定手段を取付けている圧力釜において、
上記の釜の内側に水の量を表示する目盛が付いており、その内釜の外側に釜の水の量を表示する目盛が付いており、その内釜の内側に中の水の量を測定する目盛が付いていることを特徴としている選択型圧力釜。
【請求項２】
第１項において、上記の内釜の固定手段としては、その内釜の端に弾力を加えることにより、上記の釜の中に対応する位置にそれぞれ垂直に形成された多数の内側突出部であるということを特徴としている選択型圧力釜。
【請求項３】
第１項において、上記の内釜は食器の形であることを特徴としている選択型圧力釜。
【発明の詳細な説明】
【技術分野】
【０００１】  本発明は、ご飯の種類を選択して炊くことのできる、選択型圧力釜についてのものである。より詳しく説明すると、一般的な方法により一種類のご飯を炊くことができ、また、必要に応じて二種類以上のご飯も同時に炊くことができるため、消費者が家族の好みによりやわらかいご飯、強いご飯、白米のご飯、雑穀を混ぜたご飯など、多様な種類のご飯を炊いて食べられる選択型圧力釜である。
【背景技術】
【０００２】  通常ご飯は電気圧力釜、ガス圧力釜、一般の釜など多様な種類の釜があるが、これらは全て一種類のみのご飯が炊ける。例えば、水気の多いやわらかいご飯が好きな人はやわらかく炊き、水気の少ない強いご飯が好きな人は固く炊き、また、普通のご飯が好きな人は普通に炊く。そして、白米で炊いたご飯が好きな人や雑穀を混ぜたご飯が好きな人は、それぞれの好みのご飯を炊く。【０００３】  しかし、家族でも人によって好きなご飯の種類は異なる場合がある。例えば、年寄りの両親はやわらかいご飯が好きだったり、若い息子夫婦は普通のご飯が好きだったりする。また、ある人は糖尿のため雑穀を混ぜたご飯を食べ、他の家族は普通のご飯を食べる場合もある。【０００４】  このような場合には、一台の釜を利用してご飯を２回炊いたり、２台の釜を利用してご飯を炊くしかないという不便さがあった。【０００５】  このような問題点を解決するため、図１に示しているように、米、麦などのような穀物を入れてご飯を炊く釜（１０）の内側に仕切り（１２）を立てて二つの調理空間（１４、１６）を作り、その釜（１０）に蓋（２０）を結び合わせる圧力釜を開発し、実用新案登録第２００４−０００８１６１号として出願したのである。【０００６】  しかし、上記の先出願の圧力釜は、二種類のご飯を炊けるという長所はあるが、必要によって一種類のご飯を炊けることができないという問題点があった。【０００７】  なお、釜の内側を着脱式の仕切りを利用し、必要に応じて一種類のご飯も二種類のご飯も炊けるような圧力釜を実用新案の登録出願第２００１−００２５４９１号や第２００４−００１４５５５号として出願した経験もある。【０００８】  このような種類の釜は、仕切りの着脱式構造が複雑であり、また、隣の空間との密閉性が完璧でないため、水が隣の空間に流れてしまうことによって、好みの種類のご飯が炊けなくなる問題点がある。なお、炊き上がってから異なる種類のご飯をそれぞれ別の容器に移さなければならない。
【発明の概要】
【発明が解決しようとする課題】
【０００９】  本発明は前述したような従来の問題点を解決するため考え出したもので、一種類のご飯を炊けるのみでなく、必要に応じて二種類以上のご飯を炊くことができる。また、構造が簡単であり隣接している空間の隙間に水が流れることを完全に防ぎ、確実的に好みの種類のご飯が炊ける、選択型圧力釜を提供することにその目的がある。【００１０】  なお、本発明は、炊き上がってから異なる種類のご飯を別の容器に移すことなく、そのまま食べられるような選択型圧力釜を提供することをその目的としている。
【課題を解決するための手段】
【００１１】  上記の目的を果たすための本発明である選択型圧力釜は、釜の中に入れる内釜を備えており、その内釜が中にぴたりとはまるように釜の内側に固定方法を取り付けた圧力釜で、釜の内側に水の量を表示する目盛が付いており、内釜の外側に釜本体の水の量を表示する目盛が付いている。また、内釜の内側にも内釜の水の量を測定する目盛が付いている。【００１２】  本発明である選択型圧力釜は、上記の内釜の固定方法が釜の端に弾力を加えることにより、内釜の内側に対応する位置に、それぞれ垂直に形成された多数の突出部があることを特徴としている。【００１３】  なお、本発明である選択型圧力釜は、上記の内釜が食器の形をしていることをもその特徴としている。
【発明の効果】
【００１４】  以上のように、本発明である選択型圧力釜は、一種類のご飯を炊けるのみでなく、必要に応じて二種類以上のご飯を炊くことができ、また、構造が簡単で隣接空間の隙間から水が流れることを完全に防ぎ、確実に好みのご飯を炊くことができる。一種類のご飯を炊く場合は、釜本体の内側に表示されている目盛によって水の量を調節し、二種類のご飯を炊く場合は、内釜の外側に付いている目盛によって水の量を調節し、内釜の内側の目盛によりその水の量が調節できるため、二種類のご飯を炊く場合でも水を容易に調節できる効果を発揮する。
【図面の簡単な説明】
【００１５】
【図１】  図１は、従来の圧力釜の分解斜視図である。
【図２】  図２は、本発明による一実施例の選択型圧力釜の分解斜視図である。
【図３】  図３は、図２の圧力釜から内釜を入れた状態の平面図である。
【発明を実施するための形態】
【００１６】  本発明の添付図面を参照してより詳しく説明すると下記のようである。
【００１７】  図２は本発明による一実施例の選択型圧力釜の分解斜視図であり、図３は図２の圧力釜に中に内釜を入れた状態の平面図である。
【００１８】  図に示されているように本発明の選択型圧力釜は、釜（３０）の中に入れる内釜（４０）を備えており、その内釜（４０）が釜（３０）本体の中にぴたりとはまるように、釜（３０）の内側に多数の内側突出部（３１）を作り出している。
【００１９】  釜（３０）は通常の釜の形で構成されており、内側に水の量を表示する目盛（３２）が付いている。目盛（３２）は内釜（４０）を入れていない状態での適切な水の量を表している。
【００２０】  そして内釜（４０）を固定する手段として、多数の内側突出部を作っているが、図示されているように対応する内側にそれぞれ垂直に形成されて内釜（４０）を固定しており、また、内釜（４０）の高さをやや低くしてその内釜（４０）の上段に横方向に内側突出部（３１）を追加的に作り、内釜（４０）をよりがっちりと固定している。
【００２１】  釜（３０）に形成されている内側突出部及び目盛（２０）は、釜（３０）を成型するとき、同時に形成される。
【００２２】  しかし、前述したように、固定手段のほかにも異なる構造でいくらでも内釜（４０）を固定することができる。
【００２３】  内釜（４０）の材質は熱伝達の性能が良好なものを使用するのが望ましい。内釜（４０）は図示されているように、釜（３０）の半分の空間を占めるようにすることもでき、食器の状態でもできる。内釜（４０）を食器の形に形成した場合は、側面または底の部分に釜との間に固定手段を作らなければならない。
【００２４】  内釜（４０）には外側に釜（３０）の水の量を測定する目盛（４１）が付いており、内側に内釜（４０）の中の水の量を測定する目盛（４２）が付いている。目盛（４１）は内釜（４０）を釜（３０）本体の中に固定したとき釜（３０）の中のかさが減るため、このかさによる適切な水の量を表しており、目盛（４２）は内釜（４０）の中の適切な水の量を表すために付けたものである。内釜（４０）を取付けると釜（３０）の内側に付いている目盛（３２）が隠れて見えないようにしたのは、消費者の混同を防ぐことができるので望ましい。
【００２５】  上記のように構成されている本発明の選択型圧力釜は、下記のように作用する。
【００２６】  まず一種類のご飯を炊く場合は、内釜（４０）を取出した状態で通常の方法で炊けば良い。この場合、適切な水の量は釜（３０）の内側に付いている目盛（３２）を見て判断する。
【００２７】  次に、二種類のご飯を炊く場合は、内釜（４０）を釜（３０）本体の中に取付ける。この場合、内釜（４０）は図３に示したように、釜（３０）の片側に押して入れるだけで、内側突出部（３１）の弾力によって固定される。
【００２８】  この状態で釜（３０）の本体と内釜（４０）にそれぞれの米、麦など好みの穀物や適切な量の水を入れる。このとき、水の量は目盛（４１）と目盛（４２）を利用して適切に入れる。
【００２９】  やわらかいご飯と強いご飯の二種類のご飯を炊く場合は、釜（３０）と内釜（４０）に入れる水の量を調節し、白米と雑穀を混ぜたご飯の二種類のご飯を炊く場合は、好みの穀物を釜（３０）と内釜（４０）に入れて炊く。
【００３０】  そして、釜（３０）の内側ではご飯を炊き、内釜（４０）ではじゃが芋やさつま芋をふかすことができる。
【００３１】  調理に必要な内釜（４０）の熱は釜（３０）の熱から伝達されるが、圧力釜は圧力によりふかす方法で調理され、釜（３０）の内側の圧力はそのまま内釜（４０）にも影響を与えるため、調理をするのに何らかの支障をきたすことなく好みの種類のご飯を炊くことができる。
【００３２】  図示されているように本発明である圧力釜は内釜（４０）を一つ使用した実施例を表示しているが、内釜（４０）を二つ以上備えて二種類のご飯を炊くこともできる。
【００３３】  本発明による圧力釜は、家族がそれぞれやわらかいご飯が好きな人と強いご飯が好きな人がいる場合、そして糖尿病の治療に良い雑穀のご飯と普通のご飯を炊く場合、ご飯を炊きながら別にじゃが芋やさつま芋をふかしたい場合とても便利である。そして、二種類以上のご飯ではなく一種類のご飯のみ炊く場合は、内釜を取出してご飯を炊けば良い。
【００３４】  本発明である圧力釜は、構造及び製造工程が簡単で製造単価が安価であり、また、ご飯を炊くとき隣接の空間に水が流れることが全くないため、確実に好みのご飯を炊くことができる。
【００３５】  なお、内釜（４０）が食器の形をしている場合は、内釜（４０）を釜（３０）本体から取出してそのまま食卓に移して食べられるため使いやすい。例を挙げて説明すると、糖尿病の人が食べる雑穀のご飯を内釜（４０）に入れて炊き、内釜（４０）からご飯をよそうことなくそのまま取出して食卓に移して食べれば良いということである。
【００３６】  本発明は、記載されている具体例についてのみ詳しく説明されているが、本発明の思想や範囲内で多様に修正または変形できることは、本発明に係わる技術分野の当業者には明白なことであり、従って、そのような修正や変形は添付されている特許請求の範囲に属するということを明らかにしたい。
【００３７】  例えば、本明細書では圧力釜についてのみ触れているが、通常の釜やなべについても同一な効果があると思われるため、そのような変形の例は、本発明の特許請求の範囲に属すものである。
【産業上の利用可能性】
【００３８】  以上のように、本発明である選択型圧力釜は、一種類のご飯を炊けるのみでなく、必要に応じて二種類以上のご飯を炊くことができ、また、構造が簡単で隣接空間の隙間から水が流れることを完全に防ぎ、確実に好みのご飯を炊くことができる。一種類のご飯を炊く場合は、釜本体の内側に表示されている目盛によって水の量を調節し、二種類のご飯を炊く場合は、内釜の外側に付いている目盛によって水の量を調節し、内釜の内側の目盛によりその水の量が調節できるため、二種類のご飯を炊く場合でも水を容易に調節できる効果を発揮する。
【符号の説明】
【００３９】    １０：釜                          １２：仕切り
１４、１６：調理空間              ２０：蓋
３０：釜                          ３１：内側突出部
３２：目盛
４０：内釜                        ４１，４２：目盛
【図１】
2009545425.tif 000003
【図２】
2009545425.tif 000004
【図３】
2009545425.tif 000005
【手続補正書】
【提出日】平成19年12月13日(2007.12.13)
【手続補正１】
【補正対象書類名】明細書
【補正対象項目名】全文
【補正方法】変更
【補正の内容】
【発明の詳細な説明】
【技術分野】
【０００１】  本発明は、ご飯の種類を選択して炊くことのできる、選択型圧力釜についてのものである。より詳しく説明すると、一般的な方法により一種類のご飯を炊くことができ、また、必要に応じて二種類のご飯も同時に炊くことができるため、消費者が家族の好みによりやわらかいご飯、強いご飯、白米のご飯、雑穀を混ぜたご飯など、多様な種類のご飯を炊いて食べられる選択型圧力釜である。
【背景技術】
【０００２】  通常ご飯は電気圧力釜、ガス圧力釜、一般の釜など多様な種類の釜があるが、これらは全て一種類のみのご飯が炊ける。例えば、水気の多いやわらかいご飯が好きな人はやわらかく炊き、水気の少ない強いご飯が好きな人は固く炊き、また、普通のご飯が好きな人は普通に炊く。そして、白米で炊いたご飯が好きな人や雑穀を混ぜたご飯が好きな人は、それぞれの好みのご飯を炊く。【０００３】  しかし、家族でも人によって好きなご飯の種類は異なる場合がある。例えば、年寄りの両親はやわらかいご飯が好きだったり、若い息子夫婦は普通のご飯が好きだったりする。また、ある人は糖尿のため雑穀を混ぜたご飯を食べ、他の家族は普通のご飯を食べる場合もある。【０００４】  このような場合には、一台の釜を利用してご飯を２回炊いたり、２台の釜を利用してご飯を炊くしかないという不便さがあった。【０００５】  このような問題点を解決するため、米、麦などのような穀物を入れてご飯を炊く釜の内側に仕切りを立てて二つの調理空間を作り、その釜に蓋を結び合わせる圧力釜を出願した。【０００６】  しかし、上記の先出願の圧力釜は、二種類のご飯を炊けるという長所はあるが、必要によって一種類のご飯を炊けることができないという問題点があった。【０００７】  なお、釜の内側を着脱式の仕切りを利用し、必要に応じて一種類のご飯も二種類のご飯も炊けるような圧力釜を出願した経験もある。【０００８】  しかし、このような種類の釜は、仕切りの着脱式構造が複雑であり、また、隣の空間との密閉性が完璧でないため、水が隣の空間に流れてしまうことによって、みの種類のご飯が炊けなくなる問題点がある。
【発明の概要】
【発明が解決しようとする課題】
【０００９】  本発明は前述したような従来の問題点を解決するため考え出したもので、一種類のご飯を炊けるのみでなく、必要に応じて二種類以上のご飯を炊くことができる。また、構造が簡単であり隣接している空間の隙間に水が流れることを完全に防ぎ、目盛を利用して好みの種類のご飯が炊ける、選択型圧力釜を提供することにその目的がある【００１０】  削除
【課題を解決するための手段】
【００１１】  上記の目的を果たすための本発明である選択型圧力釜は、釜の中に入れる内釜を備えており、その内釜が中にがっちりとはまるように釜の内側に固定方法を取り付けた圧力釜で、釜の内側に水の量を表示する目盛が付いており、内釜の外側に釜本体の水の量を表示する目盛が付いている。また、内釜の内側にも内釜の水の量を測定する目盛が付いている。【００１２】  本発明である選択型圧力釜は、上記の内釜の固定方法が釜の内側に対応する位置に、それぞれ垂直に形成された多数の突出部があることを特徴としている。【００１３】  本発明である選択型圧力釜は、釜の内側に入れる内釜を備えており、その内釜の中に仕切りを立ててそれぞれの調理空間を形成した圧力釜で、上記の釜の内側に水の量を表示する目盛が付いており、上記の内釜のそれぞれの調理空間の内側には水の量を表す目盛が付いていることを特徴としている。
【発明の効果】
【００１４】  以上のように、本発明である選択型圧力釜は、一種類のご飯を炊けるのみでなく、必要に応じて二種類のご飯を炊くことができ、また、構造が簡単で隣接空間の隙間から水が流れることを完全に防ぎ、使用する穀物の種類やその量により適切な水の量を表示する目盛が付いているため、確実に好みのご飯を炊くことができる。一種類のご飯を炊く場合は、釜本体の内側に表示されている目盛によって水の量を調節し、二種類のご飯を炊く場合は、内釜の外側に付いている目盛によって水の量を調節し、内釜の内側の目盛によりその水の量が調節できるため、二種類のご飯を炊く場合はそれぞれの目盛を見て水の量を容易に調節できるという効果を発揮する。
【図面の簡単な説明】
【００１５】
【図１】図１は、本発明による一実施例の選択型圧力釜の分解斜視図である。
【図２】図２は、図１の圧力釜に内釜を挿入した状態の平面図である。
【図３】図３は、本発明による一実施例の選択型圧力釜に釜の半分より小さい内釜を挿入した状態の平面図である。
【図４】図４は、本発明の変形の例による選択型圧力釜に内釜を挿入した状態の平面図である。
【発明を実施するための形態】
【００１６】  本発明の添付図面を参照してより詳しく説明すると下記のようである。
【００１７】  図１は本発明による一実施例の選択型圧力釜の分解斜視図であり、図２は図１の圧力釜に中に内釜を入れた状態の平面図であり、図３は本発明による一実施例の選択型圧力釜に釜の半分より小さい内釜を挿入した状態を図示している平面図であり、図４は本発明の変形例による選択型圧力釜に内釜を挿入した状態の平面図である。
【００１８】  図に示しているように本発明の選択型圧力釜は、釜（１０）の中に入れる内釜（２０）を備えており、その内釜（２０）が釜（１０）本体の中にがっちりとはまるように、釜（１０）の内側に多数の内側突出部（１２）を作り出している。
【００１９】  釜（１０）は通常の釜（１０）の形で構成されており、内側に水の量を表示する目盛（１１）が付いている。目盛（１１）は内釜（２０）を入れずに釜（１０）のみ使用してご飯を炊く場合の適切な水の量を表している。
【００２０】  そして内釜（２０）を固定する手段として図に示しているように、対応する釜（１０）の内側にそれぞれ垂直に形成された多数の内側突出部（１２）により内釜（２０）を固定し、また、内釜（２０）の高さをやや低くしてその内釜（２０）の上段に横方向に形成した内側突出部（１２）と釜（１０）の内側が対応して、それぞれ垂直に形成された内側突出部（１２）で内釜（２０）を固定している。
【００２１】  削除
【００２２】  しかし、前述したように、固定手段のほかにも異なる構造や形でいくらでも内釜（２０）を固定することができる。
【００２３】  一方、内釜（２０）の材質は熱伝達の性能が良好なものを使用するのが望ましい。内釜（２０）は図示されているように、釜（１０）の半分の空間を占めるようにすることもでき、図３のように釜（１０）の半分より小さい空間を占めるようにもできているため、大きさがそれぞれ異なる内釜（２０）を備えてそれを選択的に使用することができる。また、図４のように、内釜（２０）の中に仕切り（２３）を立てて二つの調理空間を形成することができる。
【００２４】  内釜（２０）には外側に釜（１０）の水の量を測定する目盛（２１）が付いており、内側に内釜（２０）の中の水の量を測定する目盛（２２）が付いている。内釜（２０）の外側に付いている目盛（２１）は内釜（２０）を釜（１０）本体の中に固定したとき釜（１０）の中のかさが減るため、このかさによる釜（１０）の適切な水の量を表すものであり、内釜（２０）の内側に付いている目盛（２２）は内釜（２０）の中の適切な水の量を表すために付けたものである。このとき、内釜（２０）を取付けると釜（３０）の内側に付いている目盛（１１）が隠れて見えないようにしたのは、消費者の混同を防ぐことができるので望ましい。    目盛（１１、２１、２２）は炊かれる穀物の種類とその量によって適切な水の量を表示するようにしており、目盛（２１、２２）は釜（１０）に入れる内釜（２０）の大きさによって、釜（１０）と内釜（２０）の適切な水の量を表示するようにしている。一方、それぞれの目盛（１１、２１、２２）には図示されているように、水の量がそれぞれ異なる二つの目盛のみ表示されているが、追加的な目盛表示も可能である。
【００２５】  上記のように構成されている本発明の選択型圧力釜は、下記のように作用する。
【００２６】  まず一種類のご飯を炊く場合は、内釜（２０）を取出した状態で通常の方法で炊けば良い。この場合、適切な水の量は釜（１０）の内側に付いている目盛（１１）を見て判断する。
【００２７】  次に、二種類のご飯を炊く場合は、内釜（２０）を釜（１０）の中に取付ける。この場合、内釜（２０）は図に示したように、釜（１０）の片側に押して入れるだけで、内側突出部（１２）によって固定される。
【００２８】  この状態で釜（１０）の本体と内釜（２０）にそれぞれの米、麦など好みの穀物や適切な量の水を入れる。このとき、水の量は内釜（２０）の外側及び内側に付いている目盛（２１、２２）を利用して適切に入れる。
【００２９】  例えば、やわらかいご飯と強いご飯の二種類のご飯を炊く場合は、使用する穀物の種類とその量による目盛（２１，２２）を目安にして、好みのやわらかいご飯と強いご飯の程度により釜（１０）と内釜（２０）に入れる水の量を調節し、白米と玄米のご飯など水の量がそれぞれ異なる二種類のご飯を炊く場合も、釜（１０）と内釜（２０）に穀物を入れ、その種類と量により目盛（２１，２２）を利用して水を入れて炊く。
【００３０】  そして、釜（１０）の内側ではご飯を炊き、同時に内釜（２０）ではじゃが芋やさつま芋、お餅をふかしたりおかゆを作ったりすることができる。
【００３１】  調理に必要な内釜（２０）の熱は釜（１０）の熱から伝達されるが、圧力釜は圧力によりふかす方法で調理され、釜（１０）の内側の圧力はそのまま内釜（２０）にも影響を与えるため、調理をするのに何らかの支障をきたすことなく好みの種類のご飯を炊くことができる。
【００３２】  図３に示したように、内釜（２０）を釜（１０）の半分より小さい空間を占めるようにする場合、大きさの異なる二つの調理空間を通じて食事量による空間選択をすることができる。例えば、家族の中で食事量が多いか同じ種類のご飯を食べる家族が多い場合は、空間が大きい釜（１０）の方で炊くと、食事量によるバランスを適切に合わせられるため、ご飯を炊く回数を減らすことができて便利である。また、大きさの異なるそれぞれの内釜（２０）セットを構成しており、内釜（２０）を選択的に使用することにより選択の幅をより拡大している。    また、図４のように内釜（２０）の内側に仕切り（２３）を立てて二つの調理空間を形成し、それぞれの調理空間の内側に目盛（２１，２２）が付いている内釜（２０）を利用して、好みの二種類のご飯を炊くことができる。なお、多数の調理空間が形成された内釜（２０）を利用して、色々な種類のご飯を同時に炊くこともできる。
【００３３】  上述したように、本発明による圧力釜は、家族がそれぞれやわらかいご飯が好きな人と強いご飯が好きな人がいる場合、そして糖尿病の治療に良い雑穀のご飯と普通のご飯を炊く場合、そして、家に病人がいてお粥とご飯をそれぞれ炊かなければならない場合、ご飯を炊きながら別にじゃが芋やさつま芋をふかしたい場合とても便利である。そして、二種類のご飯ではなく一種類のご飯のみ炊く場合は、内釜（２０）を取出してご飯を炊けば良い。
【００３４】  本発明である圧力釜は、構造及び製造工程が簡単で製造単価が安価であり、また、ご飯を炊くとき隣接の空間に水が流れることが全くないため、それぞれの目盛（２１，２２）を利用して確実に好みのご飯を炊くことができる。
【００３５】  削除
【００３６】  本発明は、記載されている具体例についてのみ詳しく説明されているが、本発明の思想や範囲内で多様に修正または変形できることは、本発明に係わる技術分野の当業者には明白なことであり、従って、そのような修正や変形は添付されている特許請求の範囲に属するということを明らかにしたい。
【００３７】  例えば、本明細書では圧力釜についてのみ触れているが、通常の釜や鍋についても同一な効果があると思われるため、そのような変形の例は、本発明の特許請求の範囲に属すものである。
【産業上の利用可能性】
【００３８】  以上のように、本発明である選択型圧力釜は、一種類のご飯を炊けるのみでなく、必要に応じて二種類のご飯を炊くことができ、また、構造が簡単で隣接空間の隙間から水が流れることを完全に防ぎ、使用する穀物の種類やその量により適切な水の量を表示する目盛が付いているため、確実に好みのご飯を炊くことができる。一種類のご飯を炊く場合は、釜本体の内側に表示されている目盛によって水の量を調節し、二種類のご飯を炊く場合は、内釜の外側に付いている目盛によって水の量を調節し、内釜の内側の目盛によりその水の量が調節できるため、二種類のご飯を炊く場合はそれぞれの目盛を見て水の量を容易に調節できるという効果を発揮する。
【符号の説明】
【００３９】１０：釜                        １１：目盛１２：内側突出部                ２０：内釜２１，２２：目盛                ２３：仕切り３０：蓋
【手続補正２】
【補正対象書類名】特許請求の範囲
【補正対象項目名】全文
【補正方法】変更
【補正の内容】
【特許請求の範囲】
【請求項１】
釜の内側に入れる内釜を備え、その内釜が上記の釜の内部にがっちりとはまるように、釜の内側に固定手段を取付けている圧力釜において、      上記の釜の内側に水の量を表示する目盛が付いており、その内釜の外側に釜の水の量を表示する目盛が付いており、その内釜の内側に中の水の量を測定する目盛が付いていることを特徴としている選択型圧力釜。
【請求項２】
第１項において、上記の内釜の固定手段としては、その内釜の中に対応する位置にそれぞれ垂直に形成されている多数の内側突出部であるということを特徴としている選択型圧力釜。
【請求項３】
釜の内側に入れる内釜を備え、その内釜の中に仕切りを立てそれぞれの調理空間を形成している圧力釜において、      上記の釜の内側に水の量を表示する目盛が付いており、その内釜のそれぞれの調理空間の内側には水の量を表示する目盛が付いていることを特徴としている選択型圧力釜
【手続補正３】
【補正対象書類名】図面
【補正対象項目名】全図
【補正方法】変更
【補正の内容】
【図１】
2009545425.tif 000006
【図２】
2009545425.tif 000007
【図３】
2009545425.tif 000008
【図４】
2009545425.tif 000009
【国際調査報告】
2009545425.tif 000010
2009545425.tif 000011